(57)【要約】【課題】融着トレイをスムーズにスライドさせることができ、融着トレイのベース体への固定と解除が簡単な操作ででき、簡単で安価な構造で融着トレイを確実に抜け止めすることができる融着トレイ収納具を提供する。【解決手段】融着トレイ２は底面に垂直片部９ａと水平片部９ｂとを有する略Ｌ字状の２個のトレイ側レール９を互いに先端が反対となるように間隔をおいて平行に設け、ベース体３は融着トレイ２の底面を支持する支持板部１１ａとトレイ側レール９の垂直片部９ａと摺接する垂直板部１１ｂとを有する略Ｌ字状のベース側レール１１の後部を連結板部１２で連結し、連結板部１２の後端縁に取付板部１３を設ける。融着トレイ２はベース側レール１１にトレイ側レール９を挿入してスライド可能にされる。また、ベース側レール１１の前端間に固定した抜け止め棒１４はトレイ側レール９の長孔を挿通して融着トレイ２の抜け止めをしている。【選択図】        図１
2004361890.tif 000002
【特許請求の範囲】
【請求項１】
箱体本体の前面開口を扉体で開閉自在に閉塞したスプライスボックス等の内部に配設され、上面開口を蓋体で施蓋するとともに少なくとも一側面に光ファイバの入出線口を形成し、内部に光ファイバの融着部と余長とを収納するための融着トレイをベース体に引き出し可能に収納する融着トレイ収納具において、前記融着トレイは底面に垂直片部と水平片部とを有する略Ｌ字状の２個のトレイ側レールを互いに前記水平片部の先端が反対となるように間隔をおいて平行に設け、前記ベース体は前記融着トレイの底面を支持する支持板部と前記トレイ側レールの垂直片部と摺接する垂直板部とを有して前記トレイ側レールに対向する略Ｌ字状の２個のベース側レールの後部を連結板部で連結し、該連結板部の後端縁に取付板部を設けて成り、前記ベース側レールに前記トレイ側レールを挿入して前記融着トレイを前記ベース側レール上でスライドさせることを特徴とする融着トレイ収納具。
【請求項２】
前記融着トレイの背面部と前記ベース体の連結板部とに係脱可能なラッチを設けたことを特徴とする請求項１に記載の融着トレイ収納具。
【請求項３】
前記トレイ側レールの垂直片部に横長形状の長孔を穿設し、両方の長孔に抜け止め棒を挿通させて前記ベース側レール間に固定したことを特徴とする請求項１又は請求項２に記載の融着トレイ収納具。
【発明の詳細な説明】
【０００１】
【発明の属する技術分野】
本発明は、光ファイバの融着部と余長とを収納するための融着トレイを引き出し可能に水平方向にスライドさせるための構造に関する。
【０００２】
【従来の技術】
従来、融着トレイをスライド可能にしたものとして、例えば、特許文献１に記載のものがある。融着トレイ収納具は融着トレイとベース体とで成り、融着トレイはベース体に複数段に形成された収納溝に収納され、融着トレイは底面に設けたトレイ側固定部に挿通孔が穿設され、ベース体は収納溝間に設けた固定部にタップ孔が穿設されている。融着トレイをベース体に固定する螺子は円筒部の両端に先端側のねじ部と頭部側のねじ部を有する長尺形状に形成され、螺子の先端側のねじ部をトレイ側固定部の挿通孔とベース体のタップ孔に挿通させた状態で螺子の円筒部の寸法だけ融着トレイをスライド自在にし、融着トレイを収納して螺子の頭部側の螺子部をトレイ側固定部の挿通孔に挿通させてベース体のタップ孔に螺着した状態で融着トレイを固定するようになっていた。
【０００３】
【特許文献１】
特開２００２−１４２３７号公報（第２，３頁、第２−５図）
【０００４】
【発明が解決しようとする課題】
しかしながら、従来の融着トレイは螺子により固定しているので締め付けたり緩めたりする作業が面倒であり、また、スライドさせる際に螺子が邪魔になることがあり、融着トレイの左右側面を案内支持する構造がないのでスライドさせにくいという欠点があった。また、融着トレイの固定と抜け止めを兼ねた螺子が特別な形状に形成されているため、製造にコストがかかるという欠点があった。
【０００５】
そこで上記問題点に鑑み、本発明の目的は、融着トレイをスムーズにスライドさせることができ、融着トレイのベース体への固定と解除が簡単な操作ででき、簡単で安価な構造で融着トレイを確実に抜け止めすることができる融着トレイ収納具を提供することである。
【０００６】
【課題を解決するための手段】
上記目的を達成するために、請求項１に記載の発明によれば、箱体本体の前面開口を扉体で開閉自在に閉塞したスプライスボックス等の内部に配設され、上面開口を蓋体で施蓋するとともに少なくとも一側面に光ファイバの入出線口を形成し、内部に光ファイバの融着部と余長とを収納するための融着トレイをベース体に引き出し可能に収納する融着トレイ収納具において、融着トレイは底面に垂直片部と水平片部とを有する略Ｌ字状の２個のトレイ側レールを互いに水平片部の先端が反対となるように間隔をおいて平行に設け、ベース体は融着トレイの底面を支持する支持板部とトレイ側レールの垂直片部と摺接する垂直板部とを有してトレイ側レールに対向する略Ｌ字状の２個のベース側レールの後部を連結板部で連結し、連結板部の後端縁に取付板部を設けて成り、ベース側レールにトレイ側レールを挿入して融着トレイをベース側レール上でスライドさせることを特徴とする。
【０００７】
請求項２に記載の発明によれば、請求項１に記載の融着トレイ収納具において、融着トレイの背面部とベース体の連結板部とに係脱可能なラッチを設けたことを特徴とする。
【０００８】
請求項３に記載の発明によれば、請求項１又は請求項２に記載の融着トレイ収納具において、トレイ側レールの垂直片部に横長形状の長孔を穿設し、両方の長孔に抜け止め棒を挿通させてベース側レール間に固定したことを特徴とする。
【０００９】
【発明の実施の形態】
請求項１に記載の発明によれば、箱体本体の前面開口を扉体で開閉自在に閉塞したスプライスボックス等の内部に配設され、上面開口を蓋体で施蓋するとともに少なくとも一側面に光ファイバの入出線口を形成し、内部に光ファイバの融着部と余長とを収納するための融着トレイをベース体に引き出し可能に収納する融着トレイ収納具において、融着トレイは底面に垂直片部と水平片部とを有する略Ｌ字状の２個のトレイ側レールを互いに水平片部の先端が反対となるように間隔をおいて平行に設け、ベース体は融着トレイの底面を支持する支持板部とトレイ側レールの垂直片部と摺接する垂直板部とを有してトレイ側レールに対向する略Ｌ字状の２個のベース側レールの後部を連結板部で連結し、連結板部の後端縁に取付板部を設けて成り、ベース側レールにトレイ側レールを挿入して融着トレイをベース側レール上でスライドさせることにより、融着トレイをスムーズにスライドさせることができる。
【００１０】
請求項２に記載の発明によれば、請求項１に記載の融着トレイ収納具において、融着トレイの背面部とベース体の連結板部とに係脱可能なラッチを設けたことにより、ワンタッチで融着トレイをベース体に固定させたり解除したりすることができる。
【００１１】
請求項３に記載の発明によれば、請求項１又は請求項２に記載の融着トレイ収納具において、トレイ側レールの垂直片部に横長形状の長孔を穿設し、両方の長孔に抜け止め棒を挿通させてベース側レール間に固定したことにより、簡単で安価な構造で融着トレイを確実に抜け止めすることができる。
【００１２】
【実施例】
本発明に係る融着トレイ収納具の実施例を図１〜図６の添付図面に基づいて説明する。
【００１３】
融着トレイ収納具１は、図示しないが箱体本体の前面開口を扉体で開閉自在に閉塞するスプライスボックス等の内部に配設され、光ファイバの融着部と余長とを収納するための融着トレイ２と、融着トレイ２を収納するためのベース体３とで成っている。
【００１４】
融着トレイ２は上面開口を蓋体４で施蓋し、ベース体３への収納時に前面側となる前面部左右位置に光ファイバの入出線口５が形成され、入出線口５には光ファイバを保持するためのバンド６が設けられている。内部には光ファイバの融着部を保持するための融着ホルダ７と、余長を巻回して収納するための余長ホルダ８が設けられている。底面には垂直片部９ａと水平片部９ｂとを有する略Ｌ字状の２個のトレイ側レール９を互いに水平片部９ｂの先端が反対となるように間隔をおいて平行に設けられ、垂直片部９ａは横長形状の長孔９ｃが穿設されている。また、融着トレイ２の背面部の略中央にはラッチ１０の凸体１０ａが設けられている。
【００１５】
ベース体３は融着トレイ２の底面を支持する支持板部１１ａと、トレイ側レール９の垂直片部９ａの外側面と摺接する垂直板部１１ｂとを有してトレイ側レール９に対向する略Ｌ字状の２個のベース側レール１１の後部を連結板部１２で一体に形成して連結し、連結板部１２の後端縁にネジ用切欠１３ａが形成された取付板部１３が設けられて成っている。ベース側レール１１の垂直板部１１ａの前部には抜け止め棒１４が取り付けられるように図示しない取付孔が穿設されている。また、連結板部１２の前面側略中央の上面には融着トレイ２のラッチ１０の凸体１０ａと対向する凹体１０ｂが設けられている。尚、図においてベース側レール１１の垂直板部１１ｂの先端を外側に折曲してトレイ側レール９の水平片部９ｂと摺接するように形成しているが形成しなくても良い。
【００１６】
融着トレイ２はベース体３のベース側レール１１の前面側端部にトレイ側レール９を挿入することでベース側レール１１に沿ってスライドさせることができる。それから、ベース体３の一方のベース側レール１１の取付孔から抜け止め棒１４を差し込み、融着トレイ２の両方のトレイ側レール９の長孔９ｃを挿通させて他方のベース側レール１１の取付孔に挿通させる。抜け止め棒１４の両端は図示しないタップ孔が形成され、ネジ１５によってベース側レール１１間に締め付け固定されている。これによって、融着トレイ２は引き出した際に長孔９ｃの後端に抜け止め棒１４が当たって必要以上に引き出せないので融着トレイ２を脱落させることがない。尚、融着トレイ２を引き出した状態でも水平姿勢を維持できるようにトレイ側レール９は融着トレイ２の後端よりも突出する長さに形成されている。
【００１７】
こうしてスライド可能に設けられた融着トレイ２は、ラッチ１０の凸体１０ａがベース体３のラッチ１０の凹体１０ｂに当たるまで収納した状態で、更に融着トレイ２の前面を指で押し込むことにより、融着トレイ２のラッチ１０の凸体１０ａがベース体３のラッチ１０の凹体１０ｂに係合してワンタッチで固定することができる。また、固定を解除するには固定の操作と同様に融着トレイ２の前面を指で押し込むことにより、簡単に行うことができる。
【００１８】
融着トレイ収納具１は取付板部材１６を介してスプライスボックス内に立設されたマウントアングル１７に取り付けられる。取付板部材１６はマウント取り付けできるようにネジ挿通孔１６ａが穿設されたマウント部１６ｂと、マウント部１６ｂに連続した側板部１６ｃと、融着トレイ収納具１が左右に２個並べて収納できる幅寸法を有する背板部１６ｄとで構成している。融着トレイ収納具１は取付板部１３を取付板部材１６の背板部１６ｃに当接させて複数の取付ネジ１８によって螺着固定している。融着トレイ収納具１が取り付けられた取付板部材１６は、マウント部１６ｂをマウントアングル１７に当接させて固定ネジ１９をネジ挿通孔１６ａに挿通させて螺着固定され、図４に示すように複数の融着トレイ収納具１をマウントアングル１７に多段に取り付けることも可能である。また、マウントアングルがない場合は、融着トレイ収納具１の取付板部１３を被取付板部に当接させて取付ネジ１８によって螺着固定する。
【００１９】
尚、本実施例において融着トレイの構造について限定はなく本発明の趣旨を逸脱しない範囲で適宜変更可能である。また、融着トレイ収納具を取付板部材に取り付ける際に左右方向に２個並べて設けたがスプライスボックスの寸法に応じて変更すると良い。
【００２０】
【発明の効果】
以上説明したように請求項１に記載の発明によれば、箱体本体の前面開口を扉体で開閉自在に閉塞したスプライスボックス等の内部に配設され、上面開口を蓋体で施蓋するとともに少なくとも一側面に光ファイバの入出線口を形成し、内部に光ファイバの融着部と余長とを収納するための融着トレイをベース体に引き出し可能に収納する融着トレイ収納具において、融着トレイは底面に垂直片部と水平片部とを有する略Ｌ字状の２個のトレイ側レールを互いに水平片部の先端が反対となるように間隔をおいて平行に設け、ベース体は融着トレイの底面を支持する支持板部とトレイ側レールの垂直片部と摺接する垂直板部とを有してトレイ側レールに対向する略Ｌ字状の２個のベース側レールの後部を連結板部で連結し、連結板部の後端縁に取付板部を設けて成り、ベース側レールにトレイ側レールを挿入して融着トレイをベース側レール上でスライドさせることにより、融着トレイをスムーズにスライドさせることができるという効果がある。
【００２１】
請求項２に記載の発明によれば、請求項１に記載の融着トレイ収納具において、融着トレイの背面部とベース体の連結板部とに係脱可能なラッチを設けたことにより、ワンタッチで融着トレイをベース体に固定させたり解除したりすることができるという効果がある。
【００２２】
請求項３に記載の発明によれば、請求項１又は請求項２に記載の融着トレイ収納具において、トレイ側レールの垂直片部に横長形状の長孔を穿設し、両方の長孔に抜け止め棒を挿通させてベース側レール間に固定したことにより、簡単で安価な構造で融着トレイを確実に抜け止めすることができるという効果がある。
【図面の簡単な説明】
【図１】本発明に係る融着トレイ収納具の正面図である。
【図２】本発明に係る融着トレイ収納具の平面図である。
【図３】本発明に係る融着トレイ収納具の右側面図である。
【図４】本発明に係る融着トレイ収納具を取付板部材に取り付けた状態の正面図である。
【図５】本発明に係る融着トレイ収納具を取付板部材に取り付けた状態の平面図である。
【図６】本発明に係る融着トレイ収納具をマウントアングルに多段に設けた状態の正面図である。
【符号の説明】
１…融着トレイ収納具
２…融着トレイ
３…ベース体
９…トレイ側レール
９ａ…垂直片部
９ｂ…水平片部
９ｃ…長孔
１０…ラッチ
１０ａ…凸体
１０ｂ…凹体
１１…ベース側レール
１１ａ…支持板部
１１ｂ…垂直板部
１４…抜け止め棒
【図１】
2004361890.tif 000003
【図２】
2004361890.tif 000004
【図３】
2004361890.tif 000005
【図４】
2004361890.tif 000006
【図５】
2004361890.tif 000007
【図６】
2004361890.tif 000008